(57)【特許請求の範囲】
【請求項１】
入力されたファイル情報を所定時間再生し、再生したデータサイズを再生するためにかかった時間からビットレートを算出して、前記ファイル情報全体の再生時間を取得するファイル時間演算手段と、
前記演算手段で算出された再生時間に基づいて、前記ファイル情報を予め設定された複数の領域に時間的に等分割する分割手段と、
前記分割手段で分割された複数の領域のうち要求された領域を選択的に再生する再生手段と、  
を具備してなることを特徴とするファイル情報再生装置。
【請求項２】
入力されたファイル情報にその再生時間を示す情報が付加されているか否かを判別する判別手段と、
この判別手段で再生時間を示す情報が付加されていると判断された場合、その情報を取得する取得手段と、
前記判別手段で再生時間を示す情報が付加されていないと判断された場合、前記ファイル情報を再生し、再生したデータサイズを再生するためにかかった時間からビットレートを算出して、前記ファイル情報全体の再生時間を取得するファイル時間演算手段と、
前記取得手段で取得された情報または前記演算手段で算出された再生時間に基づいて、前記ファイル情報を予め設定された複数の領域に時間的に等分割する分割手段と、
この分割手段で分割された複数の領域のうち要求された領域を選択的に再生する再生手段と、  
を具備してなることを特徴とするファイル情報再生装置。
【請求項３】
前記分割手段は、前記ファイル情報の分割数を変更可能であることを特徴とする請求項１または２記載のファイル情報再生装置。
【請求項４】
前記再生手段は、前記分割手段で分割された時間的に連続する複数の領域を、操作される毎に順番に再生させていく操作子を備えていることを特徴とする請求項１または２記載のファイル情報再生装置。
【請求項５】
前記再生手段は、前記分割手段で分割された時間的に連続する複数の領域を、所定時間内に操作された回数だけ飛び越して再生する操作子を備えていることを特徴とする請求項１または２記載のファイル情報再生装置。
【請求項６】
ファイル情報を含むデジタル放送を受信し、受信したファイル情報を記憶する記憶手段と、
前記記憶手段に記憶された前記受信したファイル情報を再生し、再生したデータサイズを再生するためにかかった時間からビットレートを算出して、前記ファイル情報全体の再生時間を取得するファイル時間演算手段と、
前記演算手段で算出された再生時間に基づいて、前記ファイル情報を予め設定された複数の領域に時間的に等分割する分割手段と、
この分割手段で分割された複数の領域のうち要求された領域を選択的に再生する再生手段と、  
を具備してなることを特徴とするデジタル放送受信装置。
【請求項７】
前記分割手段は、前記ファイル情報の分割数を変更可能であることを特徴とする請求項６記載のデジタル放送受信装置。
【請求項８】
前記再生手段は、前記分割手段で分割された時間的に連続する複数の領域を、操作される毎に順番に再生させていく操作子を備えていることを特徴とする請求項６記載のデジタル放送受信装置。
【請求項９】
前記再生手段は、前記分割手段で分割された時間的に連続する複数の領域を、所定時間内に操作された回数だけ飛び越して再生する操作子を備えていることを特徴とする請求項６記載のデジタル放送受信装置。
【請求項１０】
ファイル情報が入力される入力手段と、
前記入力手段を経由して入力された前記ファイル情報にその再生時間を示す情報が付加されているか否かを判別する判別手段と、
この判別手段で再生時間を示す情報が付加されていると判断された場合、その情報を取得する取得手段と、
前記判別手段で再生時間を示す情報が付加されていないと判断された場合、前記ファイル情報を再生し、再生したデータサイズを再生するためにかかった時間からビットレートを算出して、前記ファイル情報全体の再生時間を取得するファイル時間演算手段と、
前記取得手段で取得された情報または前記演算手段で算出された再生時間に基づいて、前記ファイル情報を予め設定された複数の領域に時間的に等分割する分割手段と、
この分割手段で分割された複数の領域のうち要求された領域を選択的に再生する再生手段と、  
を具備してなることを特徴とするファイル情報再生装置。
【請求項１１】
前記分割手段は、前記ファイル情報の分割数を変更可能であることを特徴とする請求項１０記載のファイル情報再生装置。
【請求項１２】
前記再生手段は、前記分割手段で分割された時間的に連続する複数の領域を、操作される毎に順番に再生させていく操作子を備えていることを特徴とする請求項１０記載のファイル情報再生装置。
【請求項１３】
前記再生手段は、前記分割手段で分割された時間的に連続する複数の領域を、所定時間内に操作された回数だけ飛び越して再生する操作子を備えていることを特徴とする請求項１０記載のファイル情報再生装置。
【請求項１４】
入力されたファイル情報を所定時間再生し、再生したデータサイズを再生するためにかかった時間からビットレートを算出して、前記ファイル情報全体の再生時間を取得するファイル時間演算工程と、
前記演算工程で算出された再生時間に基づいて、前記ファイル情報を予め設定された複数の領域に時間的に等分割する分割工程と、
前記分割工程で分割された複数の領域のうち要求された領域を選択的に再生する再生工程と、
を有することを特徴とするファイル情報再生方法。
【請求項１５】
入力されたファイル情報にその再生時間を示す情報が付加されているか否かを判別する判別工程と、
この判別工程で再生時間を示す情報が付加されていると判断された場合、その情報を取得する取得工程と、
前記判別工程で再生時間を示す情報が付加されていないと判断された場合、前記ファイル情報を所定時間再生し、再生したデータサイズを再生するためにかかった時間からビットレートを算出して、前記ファイル情報全体の再生時間を取得するファイル時間演算工程と、
前記取得工程で取得された情報または前記演算工程で算出された再生時間に基づいて、前記ファイル情報を予め設定された複数の領域に時間的に等分割する分割工程と、
この分割工程で分割された複数の領域のうち要求された領域を選択的に再生する再生工程と、
を有することを特徴とするファイル情報再生方法。
【請求項１６】
ファイル情報を含むデジタル放送を受信し、受信したファイル情報を記憶する記憶工程と、
前記記憶工程において記憶された前記受信したファイル情報を所定時間再生し、再生したデータサイズを再生するためにかかった時間からビットレートを算出して、前記ファイル情報全体の再生時間を取得するファイル時間演算工程と、
前記演算工程で算出された再生時間に基づいて、前記ファイル情報を予め設定された複数の領域に時間的に等分割する分割工程と、
この分割工程で分割された複数の領域のうち要求された領域を選択的に再生する再生工程と、
を有することを特徴とするデジタル放送受信再生方法。
【請求項１７】
ファイル情報が入力される入力工程と、
前記入力工程を経由して入力された前記ファイル情報にその再生時間を示す情報が付加されているか否かを判別する判別工程と、
この判別工程で再生時間を示す情報が付加されていると判断された場合、その情報を取得する取得工程と、
前記判別工程で再生時間を示す情報が付加されていないと判断された場合、前記ファイル情報を所定時間再生し、再生したデータサイズを再生するためにかかった時間からビットレートを算出して、前記ファイル情報全体の再生時間を取得するファイル時間演算工程と、
前記取得工程で取得された情報または前記演算工程で算出された再生時間に基づいて、前記ファイル情報を予め設定された複数の領域に時間的に等分割する分割工程と、
この分割工程で分割された複数の領域のうち要求された領域を選択的に再生する再生工程と、  
を有することを特徴とするファイル情報再生方法。
【発明の詳細な説明】
【０００１】
【発明の属する技術分野】
この発明は、映像ファイルや音声ファイルを再生する再生装置およびその方法に係り、特に、ディスクやメモリカード等に代表されるデジタル記録媒体に記録された映像ファイルや音声ファイルを、利用者が設定可能な条件に基づいて再生することのできるデジタル信号再生装置およびデジタル信号再生方法に関する。
【０００２】
【従来の技術】
近年、ＢＳデジタル放送や１１０度ＣＳデジタル放送等の普及により、高画質の映像信号や高音質の音声信号が、さまざまな供給元から供給されている。
【０００３】
高画質のデジタル映像信号や高音質のデジタル音声信号をデジタル信号のまま記録することが可能な記録装置として、ハードディスクを内蔵したレコーダーやＤＶＤ−ＲＡＭディスクをデジタル信号向け記録媒体に利用するＤＶＤ−ＲＡＭレコーダー等が、広く利用されている。
【０００４】
また、インターネット網においては、音声信号向けのＭＰ−３圧縮方式やデジタル放送向けの標準規格であるＭＰＥＧ−２  ＡＡＣ圧縮方式により圧縮された音声ファイルが容易に入手可能である。この種の音声ファイルは、例えばメモリカード等のデジタル信号向け記録媒体に保存できる。なお、音声ファイルを記憶したメモリカードから音声ファイルを再生するポータブルプレーヤーも登場している。
【０００５】
上述したデジタル信号向け記録媒体は、周知のアナログ方式のビデオテープやオーディオカセットテープ等に代表される時間の流れにより管理される記録方式向けの記録媒体では困難な、様々な機能を実現している。
【０００６】
例えば、ハードディスク内蔵レコーダーにおいては、時間の流れと独立して、既に記録されている映像または音声を再生可能であるから、任意の長さの映像を録画しながら、その映像を任意の位置から再生できる機能や、映像または音声が継続して供給されている状態で一時停止を設定すると、一時停止を解除した時点で、一時停止した位置から引き続いて映像または音声を再生可能な機能等に代表されるタイムシフト機能を実現している。
【０００７】
また、デジタル記録が可能なデジタル信号向けの記録媒体（メディア）に共通な特徴として、瞬時にファイルの頭出しができる特徴がある。
【０００８】
テープ状のメディアを用いる周知の記録方法では、ファイルの頭出しは、一般に、ユーザーの操作により、ユーザーが頭出し（再生）しようとする再生位置の近傍または予めセットされたカウンタ値までテープが走行されたのち、引き続くユーザーの操作による再生位置の前後の情報から低速再生等により、再生位置がサーチされる。すなわち、テープメディアを用いる周知の記録方法では、テープ（記録媒体）を物理的に再生位置にセットする必要がある。
【０００９】
一方、ハードディスクを内蔵したレコーダーやＤＶＤ−ＲＡＭレコーダー等のデジタル記録が可能なデジタル信号向けの記録媒体においては、テープメディアとは異なり、記録媒体の再生位置を物理的にセットする必要はない。すなわち、再生したい位置を、操作パネルやリモコン等の入力装置により、直接指示するだけでよい。
【００１０】
しかしながら、再生位置をダイナミックにサーチする場合、テープメディアを用いる方式では、テープの早送りや巻戻しにより可能であるが、上記のデジタル信号向けの記録媒体においては、早送りや巻戻しの概念がないために映像または音声を再生する速度を変更する方式が主流である。この手段では、多くの場合、飛び飛びの映像または音声となる。
【００１１】
【発明が解決しようとする課題】
上述した飛び飛びの映像または音声が再生されることを防止するため、ハードディスク内蔵レコーダーやメモリカード等に代表されるデジタル信号向けの記録媒体から映像や音声を再生する際に、ユーザーにより指定された再生位置を基準として、その前後の映像または音楽を、ダイナミックに早送りまたは早戻し可能とするために、多くの提案がある。
【００１２】
例えば、一つのファイル内でダイナミックにサーチしたい再生位置がユーザーにより予め指定されると、指定された再生位置へのスキップが可能となる機能が提案がある。しかしながら、この機能を有効とするためには、予めユーザーに、再生位置を設定をさせる必要がある。従って、指定される再生位置を、ユーザーが予め掌握していなければならず、煩雑性の点から実現的ではない。
【００１３】
また、一つのファイル内で、スキップが指示されることで、一定時間スキップする機能が提案されている。しかしながら、スキップする時間として定義された時間は、ファイルの長さに関係なく一定である。このため、短いファイルでは、スキップする間隔が長くなり、長いファイルでは、スキップする間隔が短くなる問題がある。
【００１４】
このように、デジタル記録装置を用いて映像や音楽を再生する際に、ファイル内の任意の映像または音楽ファイルに、任意にスキップ可能なデジタル上記のような従来の機能は、ユーザー操作の煩雑性や様々なファイルの長さに対して万能な機能ではい。
【００１５】
この発明の目的は、上記の問題を解決するため、一つのファイルを、ある固定された割合で分割した単位でスキップさせることで、様々な長さのファイルに対して均一の割合で、映像または音声をスキップすることのできる機能を提供することにある。
【００１６】
【課題を解決するための手段】
この発明は、入力されたファイル情報を所定時間再生し、再生したデータサイズを再生するためにかかった時間からビットレートを算出して、前記ファイル情報全体の再生時間を取得するファイル時間演算手段と、前記演算手段で算出された再生時間に基づいて、前記ファイル情報を予め設定された複数の領域に時間的に等分割する分割手段と、前記分割手段で分割された複数の領域のうち要求された領域を選択的に再生する再生手段と、を具備してなることを特徴とするファイル情報再生装置を提供するものである。
【００１７】
またこの発明は、入力されたファイル情報にその再生時間を示す情報が付加されているか否かを判別する判別手段と、この判別手段で再生時間を示す情報が付加されていると判断された場合、その情報を取得する取得手段と、前記判別手段で再生時間を示す情報が付加されていないと判断された場合、前記ファイル情報を再生し、再生したデータサイズを再生するためにかかった時間からビットレートを算出して、前記ファイル情報全体の再生時間を取得するファイル時間演算手段と、前記取得手段で取得された情報または前記演算手段で算出された再生時間に基づいて、前記ファイル情報を予め設定された複数の領域に時間的に等分割する分割手段と、この分割手段で分割された複数の領域のうち要求された領域を選択的に再生する再生手段と、を具備してなることを特徴とするファイル情報再生装置を提供するものである。
【００１８】
さらこの発明は、ファイル情報を含むデジタル放送を受信し、受信したファイル情報を記憶する記憶手段と、前記記憶手段に記憶された前記受信したファイル情報を再生し、再生したデータサイズを再生するためにかかった時間からビットレートを算出して、前記ファイル情報全体の再生時間を取得するファイル時間演算手段と、前記演算手段で算出された再生時間に基づいて、前記ファイル情報を予め設定された複数の領域に時間的に等分割する分割手段と、この分割手段で分割された複数の領域のうち要求された領域を選択的に再生する再生手段と、を具備してなることを特徴とするデジタル放送受信装置を提供するものである。
【００１９】
またさらにこの発明は、ファイル情報が入力される入力手段と、前記入力手段を経由して入力された前記ファイル情報にその再生時間を示す情報が付加されているか否かを判別する判別手段と、この判別手段で再生時間を示す情報が付加されていると判断された場合、その情報を取得する取得手段と、前記判別手段で再生時間を示す情報が付加されていないと判断された場合、前記ファイル情報を所定時間再生し、再生したデータサイズを再生するためにかかった時間からビットレートを算出して、前記ファイル情報全体の再生時間を取得するファイル時間演算手段と、前記取得手段で取得された情報または前記演算手段で算出された再生時間に基づいて、前記ファイル情報を予め設定された複数の領域に時間的に等分割する分割手段と、この分割手段で分割された複数の領域のうち要求された領域を選択的に再生する再生手段と、を具備してなることを特徴とするファイル情報再生装置を提供するものである。
【００２０】
さらにまたこの発明は、入力されたファイル情報を所定時間再生し、再生したデータサイズを再生するためにかかった時間からビットレートを算出して、前記ファイル情報全体の再生時間を取得するファイル時間演算工程と、前記演算工程で算出された再生時間に基づいて、前記ファイル情報を予め設定された複数の領域に時間的に等分割する分割工程と、前記分割工程で分割された複数の領域のうち要求された領域を選択的に再生する再生工程と、を有することを特徴とするファイル情報再生方法である。
【００２１】
またさらにこの発明は、入力されたファイル情報にその再生時間を示す情報が付加されているか否かを判別する判別工程と、この判別工程で再生時間を示す情報が付加されていると判断された場合、その情報を取得する取得工程と、前記判別工程で再生時間を示す情報が付加されていないと判断された場合、前記ファイル情報を所定時間再生し、再生したデータサイズを再生するためにかかった時間からビットレートを算出して、前記ファイル情報全体の再生時間を取得するファイル時間演算工程と、前記取得工程で取得された情報または前記演算工程で算出された再生時間に基づいて、前記ファイル情報を予め設定された複数の領域に時間的に等分割する分割工程と、この分割工程で分割された複数の領域のうち要求された領域を選択的に再生する再生工程と、を有することを特徴とするファイル情報再生方法である。
【００２２】
さらにまたこの発明は、ファイル情報を含むデジタル放送を受信し、受信したファイル情報を記憶する記憶工程と、前記記憶工程において記憶された前記受信したファイル情報を所定時間再生し、再生したデータサイズを再生するためにかかった時間からビットレートを算出して、前記ファイル情報全体の再生時間を取得するファイル時間演算工程と、前記演算工程で算出された再生時間に基づいて、前記ファイル情報を予め設定された複数の領域に時間的に等分割する分割工程と、この分割工程で分割された複数の領域のうち要求された領域を選択的に再生する再生工程と、を有することを特徴とするデジタル放送受信再生方法である。
【００２３】
またさらにこの発明は、ファイル情報が入力される入力工程と、前記入力工程を経由して入力された前記ファイル情報にその再生時間を示す情報が付加されているか否かを判別する判別工程と、この判別工程で再生時間を示す情報が付加されていると判断された場合、その情報を取得する取得工程と、前記判別工程で再生時間を示す情報が付加されていないと判断された場合、前記ファイル情報を所定時間再生し、再生したデータサイズを再生するためにかかった時間からビットレートを算出して、前記ファイル情報全体の再生時間を取得するファイル時間演算工程と、前記取得工程で取得された情報または前記演算工程で算出された再生時間に基づいて、前記ファイル情報を予め設定された複数の領域に時間的に等分割する分割工程と、この分割工程で分割された複数の領域のうち要求された領域を選択的に再生する再生工程と、を有することを特徴とするファイル情報再生方法である。
【００２５】
【発明の実施の形態】
以下、図面を参照して、この発明の実施の形態について詳細に説明する。
【００２６】
図１は、ハードディスクを内蔵した録画可能なデジタル放送受信装置を例に、この発明の実施の形態の一例を説明する概略ブロック図である。
【００２７】
図１に示すように、デジタル信号が記録されている記録媒体から少なくとも、映像または音声を再生するデジタル信号再生装置（ファイル情報再生装置）１においては、図示しないＢＳ衛星から送出され、アンテナ１０１により受信されたデジタル衛星放送信号中の任意の周波数成分がチューナー２により選択的に取り出される。なお、デジタル衛星放送信号は、任意数のチャンネルおよび個々のチャンネルに設定されている番組すなわち映像データおよび音声データならびにＳＩ情報（Service Information）が、図示しないＢＳ放送局あるいは中継局から多重送信された信号である。
【００２８】
チューナー２により取り出された衛星放送信号からは、コントロール回路すなわちＣＰＵ（再生手段、取得手段、演算手段、分割手段）３から出力される制御信号に基づいて、任意チャンネルの成分が選択される。選択された任意チャンネルの成分すなわち映像データおよび音声データは、図示しない復調回路により復調されたのち、エラー訂正回路４に入力され、誤り訂正される。
【００２９】
エラー訂正回路４により誤り訂正されて出力された任意チャンネルの成分は、スクランブル制御回路５に供給され、当該チャンネルの成分がスクランブル処理された信号である場合には、デスクランブル処理される。すなわち、アンテナを介して受信された任意チャンネルの映像データおよび音声データがスクランブル処理されている場合には、多重送信された元々の成分に分離されるに先だって、スクランブルが解除される。
【００３０】
スクランブル制御回路５においてスクランブルが解除された任意チャンネルの受信信号は、多重データ分離回路６に入力され、受信信号を構成するビットストリームに含まれる識別情報すなわちＩＤに基づいて、任意個数のパケットに分離される。
【００３１】
多重データ分離回路６でＳＩ情報から分離された番組情報（任意数のパケット中で番組情報が搬送されているパケット）は、コントロール回路（ＣＰＵ）３に入力される。また、映像データが搬送されているパケットは、例えばＭＰＥＧ方式の画像圧縮を用いたＭＰＥＧ映像再生回路（再生手段）８に、音声データが搬送されているパケットは、例えばＭＰＥＧ−２方式の音声圧縮を用いたＭＰＥＧ音声再生回路（再生手段）７に、それぞれ入力される。
【００３２】
ＭＰＥＧ映像再生回路８に入力された映像データは、デコード処理により圧縮符号化データからデコードされ、その映像信号に文字や特定の符号を重ねるためのＯＳＤ回路９に出力される。なお、ＯＳＤ回路９には、多重データ分離回路６からコントロール回路３に入力され、コントロール回路３により取得されたＳＩ情報のうちの映像表示に要求されるＯＳＤデータ信号が供給される。ＯＳＤ回路９に入力されたＯＳＤデータ信号は、ＯＳＤ回路９により映像信号に重畳され、映像信号に文字や特定の符号が重ねられた再生映像信号として、図示しない映像表示回路に入力される。映像表示回路は、詳述しないが、再生映像信号を、映像表示機器として接続されている映像表示装置の表示方式に適した映像出力信号に変換して、接続されている映像表示装置に映像を再生（表示）させる。
【００３３】
ＭＰＥＧ音声再生回路７に入力された音声データは、デコード処理により圧縮符号化データからデコードされ、必要に応じて増幅されて音声信号として、図示しない音声再生装置に出力される。
【００３４】
多重データ分離回路６にはまた、映像データと音声データを記録可能なハードディスク装置（ＨＤＤ）１０が接続されている。なお、ハードディスク装置１０に受信した番組が記録される場合は、コントロール回路３により、ストリームにコンテンツ保護が施された後、当該番組の属性情報とともにハードディスク装置１０に出力される。
【００３５】
また、ハードディスク装置１０に加えて、あるいはハードディスク装置１０の他に、デジタル信号が記録可能な記録媒体である周知の、例えばＤＶＤ−ＲＡＭタイプのディスクに画像情報または音声情報を記録（ディスクから画像情報または音声情報を再生）可能な情報記録再生装置１１１が設けられてもよいことはいうまでもない。さらに、ハードディスク装置１０および（または）情報記録再生ユニット１１１の他に、デジタル信号が記録可能な記録媒体である周知の、例えばメモリカードが利用可能な情報記録再生装置１２１が設けられてもよいことはいうまでもない。なお、情報記録再生装置１１１および／または１２１は、所定のインタフェース（１１０，１２０）を経由して多重データ分離回路６と接続可能であれば、その台数や記録媒体に対する記録方式は任意に設定可能であることはいうまでもない。
【００３６】
コントロール回路３には、デジタル信号再生装置１から離れた位置でユーザーによる操作を可能とする、例えばリモートコントローラ（ユーザー操作手段すなわちリモコン）９９の指示を受信して対応する制御信号をコントロール回路３に出力可能なリモートコントロールインタフェース１１が接続されている。
【００３７】
リモコン９９には、例えば図３を用いて後段に説明する通り、任意の記録媒体に記録されている映像や音声を、予め設定されている所定周期でスキップさせるためのスキップ信号を入力可能なスキップボタン（操作子）９９ａ，９９ｂが設けられている。なお、スキップボタン９９ａは、１回押される毎に、例えば順方向（時間が進む方向）に１スキップ領域分、スキップボタン９９ｂは、１回押される毎に、例えば逆方向（時間が戻る方向）に１スキップ領域分の映像や音声のスキップをコントロール回路３に指示可能である。
【００３８】
コントロール回路３には、リモコン９９からスキップが指示された回数を計数可能な（スキップボタンがオンされた後、所定時間の間、次にスキップボタンがオンされるか否かを識別可能な）スキップ回数設定回路３１が接続されている。このスキップ回数設定回路３１が、一定時間の間にスキップボタン９９ａ，９９ｂがオンされた回数を計数することで、後段に詳述するが、分割された時間的に連続する複数の領域を、所定時間内に操作された回数だけ飛び越して再生する操作子が得られる。
【００３９】
コントロール回路３にはまた、リモコン９９（あるいは再生装置１本体の所定の位置に設けられることの多い図示しない入力キー（ジョグレバー（パッド）や十字スイッチ（パッド）として広く知られている）により、再生中の映像および音声のスキップが指示された場合に、記録媒体に記録されている映像および音声を、所定の時間分だけスキップさせるために全てのファイルの時間長を取得するファイル時間取得回路（取得手段、演算手段）３２が接続されている。なお、ファイル時間取得回路３２は、コントロール回路３のファームウエアとして設けられてもよい。
【００４０】
次に、図４を用いて、図１に示したデジタル信号再生装置によりデジタル信号向けの非テープ状記録媒体に記録されている映像ファイルおよび音声ファイルを再生する際に、ファイルの総時間を一定の割合で分割してスキップする再生方法を説明する。
【００４１】
図４に示すように、番組再生中に、ユーザー操作手段（リモコン）からシーンスキップの指示が発生されると、シーンスキップ手段により、現在再生している再生位置から、ファイル全体の時間を、例えば１／１０の固定の比率で分割した位置のシーンにスキップされる。もちろん、分割数は、任意に設定可能である。なお、スキップ後は、再生開始手段として機能するコントロール回路３の制御により、スキップにより到達した位置からの再生となる。
【００４２】
詳細には、ハードディスク装置１０に記録されている映像および音声を再生している任意の時間すなわち再生位置において、図２に示すタイミングでユーザーから「スキップ」が指示される（図３に示すリモコン９９のスキップキー９９ａが、例えば１回押されたとする）と、第１に、ファイル時間取得回路３２により１つの番組（ファイル）の総時間が求められる（Ｓ１）。
【００４３】
次に、求められたファイル時間が、予め設定されている「スキップ数」に基づいて分割されてシーンスキップ可能状態が設定され、例えばリモコン９９のスキップキー９９ａが１回押されることで、現在映像および音声または音声が再生されている再生位置が含まれるスキップ領域（図２のブロック▲３▼の途中）から移動すべき次のスキップ領域（図２のブロック▲４▼）の先頭すなわち記録媒体内の読み出し位置が設定される（Ｓ２）。なお、この例では、スキップ数は、例えば「１０」である。また、ファイル時間取得回路３２でファイル時間が取得されるファイル時間取得処理は、記録媒体に記録されている映像または音声の再生が指示された以降にのみ処理可能に限定されるものではなく、以下に説明するスキップ操作が実行された（スキップボタンがオンされた）後に実行されてもよいことはいうまでもない。
【００４４】
続いて、実際にヘッドが移動され、または記録媒体から映像および音声を読み出す読み出し位置が、指示されたスキップ後の再生位置に、スキップされる（Ｓ３）。
【００４５】
以下、ステップＳ３でスキップされた時間（再生位置）から、引き続いて映像および音声あるいは音声が再生される（Ｓ４）。
【００４６】
このように、図４に示したスキップ制御によれば、現在再生している位置からある一定の割合で分割したシーンにスキップして、映像および音声の再生を開始する機能が得られる。
【００４７】
なお、上述した「スキップ数」は、例えばファームメモリにスキップ数を設定するためのプログラムと置数（数値入力）方法とを記憶させておくことで、任意に変更可能である。例えばリモコン９９から特定の動作またはデータの設定に利用可能な信号を出力できるメニューキー９７により「スキップ数」設定画面を表示させた後、「０」から「９」に対応する数字データをコントロール回路３に入力可能な数字キー９８から「スキップ数」を示す数値を入力して、「終了」キー９６をオンする等の所定の操作により、「スキップ数」が変更される。
【００４８】
また、ユーザー操作手段は、図３に示したように、リモコン９９にダイレクトボタン（スキップキー９９ａ，９９ｂ）を設けた１プッシュタイプである必要はなく、ジョグ型や４方向一体型矢印パッド等も利用可能で、機構的な手段は問わない。なお、ユーザー操作手段は、シーンスキップの指示をコントロール回路３に入力可能であれば、シーンスキップは、一時停止中からでも動作できるので、記録されている映像または音声が再生されていることが条件とはならないことはいうまでもない。
【００４９】
ところで、上述したファイル時間を求めるには、記録媒体の形式と記録されているデータの形式に応じて、以下に説明する２つのパターンに大別される。
【００５０】
Ａ）ファイル時間（長）すなわち「再生時間情報」が予め記録されている映像データまたは音声データである場合、単純に記録媒体からファイル長（再生時間情報）を読み取ればよい。
【００５１】
この場合、１スキップあたりの時間は、コントロール回路３のファームメモリまたはＲＯＭに記憶されている「スキップ数」で「再生時間（再生時間情報）」をわり算することで、容易に求められる。
【００５２】
従って、衛星放送等から受信した番組の全体の記録が既に終了してファイル長が特定されている場合や、ＣＤやＤＶＤ等に代表される再生専用の記録媒体等に代表されるファイル長（時間）が記録されているファイルからの音声、あるいは映像および音声を再生する場合については、読み取ったファイル長を「スキップ数」で分割することで、１スキップあたりの時間も簡単に求めることができる。
【００５３】
Ｂ）ファイル時間（長）すなわち「再生時間情報」が不明な映像データまたは音声データであるならば、ファイル時間算出回路（演算手段）３２を用いて、例えばファイルから再生したデータサイズ（データ量）とそのサイズを再生するためにかかった時間からビットレートを算出することで、番組の全体のファイルサイズから再生時間（ファイル長）を取得できる。
【００５４】
なお、ビットレートを算出する方法として、再生位置をいくつか、ランダムに選び、一定の時間番組を再生して算出したビットレートの平均値を用いることもできる。この方法は、一つのファイルにおいて、再生位置によってビットレートが大きく変わるような場合に、特に有益である。
【００５５】
図５は、図４に示したシーンスキップの別の実施の形態を説明している。
【００５６】
図４を用いて前に説明したと同様に、ユーザー操作手段によりシーンスキップが指示されることで、再生時間情報（ファイル時間）が取得できたか否かが判定され、無く取得できない場合は、ファイル時間算出手段により、ファイルサイズから再生時間が算出される。以下、図４に示したと同様に、シーンスキップ手段により、現在再生している再生位置から、ファイル全体の時間を、例えば１／１０の固定の比率で分割した位置のシーンにスキップされる。なお、スキップ後は、再生開始手段として機能するコントロール回路３の制御により、スキップにより到達した位置からの再生となる。
【００５７】
より詳細には、例えば、図示しないＢＳ衛星から映像および音声を受信して再生している任意の時間すなわち再生位置において、ユーザーによりシーンスキップが指示されると、現在再生しているファイルのファイル時間、すなわち再生時間の有無が検知される（Ｓ１１）。
【００５８】
ステップＳ１１において、シーンスキップが指示された時点で再生時間の存在が検知できた場合（Ｓ１１−有）、その再生時間が取得される（Ｓ１２）。
【００５９】
次に、求められた再生時間が、予め設定されている「スキップ数」に基づいて分割されてシーンスキップ可能状態が設定され、例えばリモコン９９のスキップキー９９ａが１回押されることで、現在映像および音声または音声が再生されている再生位置が含まれるスキップ領域（図２のブロック▲３▼の途中）から次のスキップ領域（図２のブロック▲４▼）の先頭まで図示しないヘッドが移動され、または既に読み出された映像および音声に続いて再生されるべき記録媒体内の読み出し位置が設定される（Ｓ１３）。
【００６０】
続いて、実際にヘッドが移動され、または記録媒体から映像および音声を読み出す読み出し位置が、指示されたスキップ後の再生位置に、スキップされる（Ｓ１４）。
【００６１】
以下、ステップＳ１３でスキップされた時間（再生位置）から、引き続いて、映像および音声あるいは音声が再生される（Ｓ１５）。
【００６２】
なお、ステップＳ１１において、シーンスキップが指示された時点で再生時間の存在が検知できない場合（Ｓ１１−無）、ファイル時間算出回路により、再生時間（ファイル長）が算出される（Ｓ１６）。すなわち、上述したファイル時間算出回路により、例えばファイルから再生したデータサイズとそのサイズを再生するためにかかった時間からビットレートが算出されて、番組の全体のファイルサイズから再生時間（ファイル長）が取得できる。
【００６３】
このように、図５に示したスキップ制御によれば、ファイル自体に時間情報が無い場合、そのファイルサイズからファイル時間を算出してシーンスキップ機能を提供することができる。
【００６４】
図６は、図４に示したシーンスキップの実施の形態を変形した別の実施の形態を説明している。
【００６５】
図４を用いて前に説明したが、番組再生中に、ユーザー操作手段（リモコン）からシーンスキップの指示が発生されると、シーンスキップ手段により、現在再生している再生位置から、ファイル全体の時間を、例えば１／１０の固定の比率で分割した位置のシーンにスキップされる。このとき、シーンスキップ待機手段すなわちスキップ回数設定回路３１により、一定時間の間、引き続いてスキップが指示されたか否かがチェックされる。いうまでもなく、引き続いてスキップが指示された場合には、最後にスキップが指示された再生位置にスキップされる。また、一定時間の間に、スキップが指示されない場合は、直前にスキップが指示されてセットされた再生位置から、映像および音声が再生される。
【００６６】
より詳細には、ユーザーから「スキップ」が指示されることで、ファイル（１つの番組）の総時間が求められる（Ｓ２１）。
【００６７】
次に、求められたファイル時間が、予め設定されている「スキップ数」に基づいて分割されてシーンスキップ可能状態が設定され、例えばリモコン９９のスキップキー９９ａが１回押されることで、現在映像および音声または音声が再生されている再生位置が含まれるスキップ領域（図２のブロック▲３▼の途中）から次のスキップ領域（図２のブロック▲４▼）の先頭まで図示しないヘッドが移動され、または既に読み出された映像および音声に続いて再生されるべき記録媒体内の読み出し位置が設定される（Ｓ２２）。
【００６８】
続いて、実際にヘッドが移動され、または記録媒体から映像および音声を読み出す読み出し位置が、指示されたスキップ後の再生位置に、スキップされる（Ｓ２３）。
【００６９】
このとき、スキップ回数設定回路により、一定時間の間、引き続いてスキップが指示されたか否かがチェックされる（Ｓ２４）。
【００７０】
引き続いてスキップが指示された場合には（Ｓ２５−有）、最後にスキップが指示された再生位置にスキップされるとともに、再び一定時間の間、スキップが指示されたか否かがチェックされる（Ｓ２４）。
【００７１】
一方、一定時間の間に、スキップが指示されない場合は（Ｓ２５−無）、直前にスキップが指示されてセットされた再生位置から、映像および音声が再生される（Ｓ２６）。
【００７２】
すなわち、図６に示したスキップ制御によれば、一定時間の間、シーンスキップ待機手段によりスキップの指示の有無が検知されるので、引き続いてスキップが指示された場合には、連続してシーンをスキップすることができる。
【００７３】
以上説明したように、この発明の映像ファイルおよび音声ファイルの再生において、一つのファイルの総時間を一定の割合で分割したシーンにスキップすることが可能な装置においては、一つのファイル長（時間）をある固定の割合（例えば１／１０）で分割した単位（シーン）にスキップが可能であるから、様々な長さのファイルに対して均一の割合でシーンをスキップすることができる。また、リモコンに専用ボタンを設けたことにより、ユーザー操作の煩雑性を低減することができる。なお、ファイル長は、入力されたファイル情報を所定時間再生し、再生したデータサイズを再生するためにかかった時間からビットレートを算出することで、容易に求めることができ、ファイル自体に時間情報が無い場合であっても、そのファイルサイズからファイル時間を算出してシーンスキップ機能を提供することができる。
【００７４】
なお、上述した実施の形態においては、デジタル信号が記録される記録媒体として、ハードディスクを用いる例を扱ったが、それに限るものではなく、ＤＶＤ−ＲＡＭ等に代表されるデータにランダムアクセス可能な他のディスクメディアやメモリカードを用いてもよいことはいうまでもない。
【００７５】
また、この発明は上記各実施の形態に限定されるものではなく、その実施の段階ではその要旨を逸脱しない範囲で種々な変形・変更が可能である。また、各実施の形態は可能な限り適宜組み合わせて実施されてもよく、その場合組み合わせによる効果が得られる。
【００７６】
【発明の効果】
以上説明したように、この発明の映像および音声再生装置においては、映像ファイルおよび音声ファイルの一つのファイルの総時間を、例えば１／１０のような任意の固定の割合で分割した単位でスキップが可能であるから、様々な長さのファイルに対して均一の割合でシーンをスキップすることができる。
【図面の簡単な説明】
【図１】ハードディスクを内蔵した録画可能なデジタル放送受信装置を例に、この発明の実施の形態の一例を説明する概略ブロック図。
【図２】図１に示したデジタル放送受信装置により非テープ状記録媒体に記録されているファイルを、ファイル長さに拘わりなく均一な長さでスキップする概念を説明する概略図。
【図３】図１に示したデジタル放送受信装置に対し、非テープ状記録媒体に記録されているファイルを、ファイル長さに拘わりなく均一な長さでスキップするスキップ指示を入力可能な入力装置の一例を説明する概略図。
【図４】図１に示したデジタル放送受信装置により非テープ状記録媒体に記録されているファイルを、ファイル長さに拘わりなく均一な長さでスキップするスキップ制御の一例を説明するフローチャート。
【図５】図５に示した非テープ状記録媒体に記録されているファイルを、ファイル長さに拘わりなく均一な長さでスキップするスキップ制御の別の実施の形態を説明するフローチャート。
【図６】図４に示した非テープ状記録媒体に記録されているファイルを、ファイル長さに拘わりなく均一な長さでスキップするスキップ制御のさらに別の実施の形態を説明するフローチャート。
【符号の説明】
１・・・デジタル信号再生装置（ファイル情報再生装置）、
３・・・ＣＰＵ（コントロール回路、ファイル分割手段、ファイル再生手段、演算手段および取得手段）、
６・・・多重データ分離回路、
７・・・ＭＰＥＧ映像再生回路（ファイル再生手段）、
８・・・ＭＰＥＧ音声再生回路（ファイル再生手段）、
１０・・・ハードディスク装置、
３１・・・スキップ回数設定回路（複数領域飛び越し操作子）、
３２・・・ファイル時間取得回路（取得手段）、
９９・・・リモコン（操作子）、
１１１・・・情報記録再生装置
１２１・・・情報記録再生装置。
【図１】
0003660649.tif 000002
【図２】
0003660649.tif 000003
【図３】
0003660649.tif 000004
【図４】
0003660649.tif 000005
【図５】
0003660649.tif 000006
【図６】
0003660649.tif 000007